(57)【特許請求の範囲】
【請求項１】
ノズル部材を装着した飲料用容器のキャップであって、
キャップは、ノズル部材の取付筒部を具えた側周壁と隔壁とを具備し、隔壁の中央に開孔を穿設した弁座が設けられており、
ノズル部材は、注出ノズルと、該注出ノズルの下端に連設された有底の弁筒と、ノズル保持部とからなり、
前記弁筒は、筒壁に流出孔を穿孔し、底部を球面状の弁体とし、弁筒が弁座に直交する状態で弁座を閉鎖するようにしており、
ノズル保持部は、注出ノズル下端に連設された変形可能な薄肉の支持壁と取付筒部に嵌合する取付筒を具備しており、
前記注出ノズルをいずれの方向に傾斜させても、弁座を開き、液流路を形成させるようにしたことを特徴とする飲料用容器の注出ノズル付キャップ。
【請求項２】
ノズル部材を装着した飲料用容器のキャップであって、
キャップは、頂壁と側周壁とからなり、
前記頂壁には、その中央部に開孔を穿設し上端周縁を弁座とした筒体が立設され、その周辺部にノズル部材のための取付筒が立設されており、
ノズル部材は、注出ノズルと、該注出ノズルの下端に連設された有底の弁筒と、ノズル保持部とからなり、
前記弁筒は、筒壁に流出孔を穿孔し、底部を球面状の弁体とし、弁筒が弁座に直交する状態で弁座を閉鎖するようにしており、
ノズル保持部は、注出ノズル下端に連設され薄肉の反転変形可能な屈曲部を有する支持壁とキャップの取付筒に嵌合する嵌着部を具備しており、
前記注出ノズルをいずれの方向に傾斜させても、弁座を開き、液流路を形成させるようにしたことを特徴とする飲料用容器の注出ノズル付キャップ。
【請求項３】
前記薄肉の反転変形可能な屈曲部の断面形状が階段状をなすことを特徴とする請求項２記載の注出ノズル付キャップ。
【請求項４】
前記薄肉の反転変形可能な屈曲部の断面形状が凹状をなすことを特徴とする請求項２記載の注出ノズル付キャップ。
【発明の詳細な説明】
【０００１】
【発明の属する技術分野】
本発明は、飲料用容器のノズル付キャップ、とくにキャップ上面に注出ノズルを起倒自在に装着した飲料用容器の注出ノズル付キャップに関する。
【０００２】
【従来の技術】
キャップの上面に吸口となる注出筒を起倒自在に装着し、注出筒を起立させたときに注出流路が形成され、飲料液を吸飲可能とした飲料用容器のキャップは、従来より知られている。
【０００３】
【発明が解決しようとする課題】
しかしながら、上記従来のキャップでは、吸飲にあたって、注出筒を廻動させ、直立した状態で注出筒を口にくわえて吸飲するようにしていた。
吸飲中に注出筒が傾くと、液流路が塞がれて吸飲ができなくなり、また、容器を下方向に傾けたままで直立させた注出筒から口を外すと飲料液が周辺にこぼれるので、起き臥しのできない病人、寝たきりの老人には利用しにくいという問題があった。
【０００４】
本発明は、上記の問題を解決することを課題として、起き臥しのできない病人、寝たきりの老人にも容易に利用できるよう注出ノズルを傾斜させることによって、寝たままでも注出ノズルから飲料液を飲めるようにした飲料用容器の注出ノズル付キャップを提供することを目的とする。
【０００５】
【課題を解決するための手段】
本発明は、上記の課題を解決するため、飲料用容器の注出ノズル付キャップとして、ノズル部材を装着した飲料用容器のキャップであって、キャップは、ノズル部材の取付筒部を具えた側周壁と隔壁とを具備し、隔壁の中央に開孔を穿設した弁座が設けられており、ノズル部材は、注出ノズルと、該注出ノズルの下端に連設された有底の弁筒と、ノズル保持部とからなり、前記弁筒は、筒壁に流出孔を穿孔し、底部を球面状の弁体とし、弁筒が弁座に直交する状態で弁座を閉鎖するようにしており、ノズル保持部は、注出ノズル下端に連設された変形可能な薄肉の支持壁と取付筒部に嵌合する取付筒を具備しており、前記注出ノズルをいずれの方向に傾斜させても、弁座を開き、液流路を形成させるようにしたことを特徴とする構成を採用する。
【０００６】
別の実施形態として、ノズル部材を装着した飲料用容器のキャップであって、キャップは、頂壁と側周壁とからなり、前記頂壁には、その中央部に開孔を穿設し上端周縁を弁座とした筒体が立設され、その周辺部にノズル部材のための取付筒が立設されており、ノズル部材は、注出ノズルと、該注出ノズルの下端に連設された有底の弁筒と、ノズル保持部とからなり、前記弁筒は、筒壁に流出孔を穿孔し、底部を球面状の弁体とし、弁筒が弁座に直交する状態で弁座を閉鎖するようにしており、ノズル保持部は、注出ノズル下端に連設され薄肉の反転変形可能な屈曲部を有する支持壁とキャップの取付筒に嵌合する嵌着部を具備しており、前記注出ノズルをいずれの方向に傾斜させても、弁座を開き、液流路を形成させるようにしたことを特徴とする構成を採用し、上記薄肉の屈曲部として、その断面形状が階段状をなすことを特徴とする構成、または屈曲部の断面形状が凹状をなすことを特徴とする構成を採用する。
【０００７】
【発明の実施の形態】
次に、本発明の第１実施形態について、図面を参照して説明する。
図１において、Ａは飲料液を収納した容器、Ｂは容器口部Ａ１に取着したキャップ、Ｃはキャップに装着したノズル部材、Ｄはノズルキャップで、いずれも合成樹脂を用いて成形されている。
【０００８】
図１，２に示すように、キャップＢは、容器Ａの口部Ａ１に螺合する係合筒部１と、取付筒部２とからなる側周壁３と、隔壁４とからなっている。
係合筒部１の内周には、容器口部Ａ１に設けられたねじに螺合するねじ５が設けられ、係合筒部１の下端には連結片を介して係止リング６が連設されている。
【０００９】
隔壁４の中心には開孔７が穿孔されており、開孔７の周縁は隔壁４より突出し、その上端は、弁座８が形成されている。
隔壁４の周辺部下面には、容器口部Ａ１の内周に嵌合する密封リング９が垂設されている。
取付筒部２の中間部内周には、取付溝１０が形成され、その内側には取付内筒１１が隔壁４上に立設されている。
【００１０】
図３に示すように、ノズル部材Ｃは、注出ノズル１２と、該注出ノズル１２に連設された有底の弁筒１３と、ノズル保持部１４とからなっている。
注出ノズル１２の外周上方には膨出環１５が設けられ、内周には、拡径段部１６が設けられ、弁筒１３に連設された嵌挿筒１７が嵌合されている。
弁筒１３には、縦方向に延びる流出孔１８が穿孔され、底部は弁体１９となっている。
【００１１】
ノズル保持部１４は、取付筒２０と、該取付筒２０の上端に張設され、注出ノズル１２の下端に接続する中間に屈曲部２１を有する支持壁２２とからなっている。
取付筒２０の外周中間部には、取付筒部２の取付溝１０に嵌合する膨出環２３が突設されており、取付筒２０内周は、取付内筒１１外周に嵌合され、内部を気密に密封している。
【００１２】
図１に示すように、ノズルキャップＤは、頂壁２４と側周壁２５からなり、側周壁２５の下端には、フランジ２６が突設され、下端内周には、注出ノズル１２の外周に設けられた膨出環１５に係合する膨出環２７が形成されている。
【００１３】
次に、本実施形態の飲料用容器の使用態様と作用効果について、図４を参照して説明する。
吸飲にあたっては、ノズルキャップＤを注出ノズル１２から外し、注出ノズル１２を傾斜させると、弁体１９が弁座８から離れ、キャップＢの開孔７から流出孔１８を通じ、容器Ａ内部と注出ノズル１２との間に液流路が形成され、容器Ａ内の飲料を飲むことができる。
飲むことを止めるときには、注出ノズル１２を容器Ａに対して直立させると、弁体１９が弁座８を閉じ、液流路が遮断される。
【００１４】
その際の支持壁２２の作用効果について説明すると、吸飲前には、注出ノズル１２は直立状態にあるので、支持壁２２の屈曲部２１が弁筒１３の周りに均等な張力を付与することによって、弁筒１３の弁体１９をキャップＢの弁座８に係合させて開孔７を閉じる。
このため、容器Ａを傾けても注出ノズル１２から飲料が漏れ出すことはない。
【００１５】
注出ノズル１２を傾斜させる場合には、注出ノズル１２をいずれの方向に倒しても傾斜側の支持壁２２の屈曲部２１ａは屈曲され、反対側の屈曲部２１ｂが伸張するよう変形することによって、弁体１９を斜め下方に位置させ、弁体１９の周縁が弁座８の外周縁に接触することになる。
弁体１９と弁座８の外周縁との間の摩擦力が、支持壁２２の復元力に抗して注出ノズル１２の傾斜状態を維持する方向に作用する。
【００１６】
注出ノズル１２を直立させる場合には、注出ノズル１２を直立させる方向にわずかに動かすと、支持壁２２の復元力によって注出ノズル１２を直立させ弁体１９は弁座８に係合し、開孔７が閉じられることになる。
また、注出ノズル１２と支持壁２２を復元力の大きい材料で成形すると、注出ノズル１２から口を外すと、自然に直立するようにすることができる。
したがって、本実施形態の飲料用容器は、寝たままでも飲料液をのむことができるので、起き臥しのできない病人、寝たきり老人にも容易に利用できる。、
【００１７】
次に、本発明の第２実施形態について、図面を参照して説明する。
図５において、Ａａは飲料液が収納された容器、Ｂａはキャップ、Ｃａはノズル部材、Ｅはオーバキャップ、Ｆは中栓であり、いずれも合成樹脂によって成形されている。
Ａ１ａは容器口部であり、外周にはねじが螺設されている。
【００１８】
キャップＢａは、側周壁３０と頂壁３１とからなり、側周壁３０内周には、容器口部Ａ１ａ外周のねじに螺合するねじが螺設されている。
側周壁３０内周上端には、縮径部が設けられ、該縮径部の下端には、後述する中栓Ｆのフランジを支持する複数の係止片が突設されている。
頂壁３１の中央には、中心に開孔３２を穿孔した円錐状の筒体３３が立設され、筒体３３の上端には、弁座３４が形成されている。
頂壁３１の側周は、側周壁３０より縮径され、周縁上端には、膨出環３５が設けられている。
頂壁３１の周辺部には、ノズル部材Ｃａのための取付筒３６が立設されており、取付筒３６の中間部外周には、膨出環３７が設けられている。
【００１９】
図６に示すように、ノズル部材Ｃａは、注出ノズル３８と、該注出ノズル３８の下端に連設された有底の弁筒３９と、ノズル保持部４０とからなっている。
弁筒３９の筒壁には、縦方向に延びる複数個の流出孔４１が穿孔され、底部は、弁体４２となっている。
【００２０】
ノズル保持部４０は、注出ノズル３８の下端から階段状に広がる段部４３を有する支持壁４４と、該支持壁４４に接続する嵌着部４５とからなっている。
嵌着部４５は、側周壁４６と上壁４７、上壁４７内周から垂設された密封リング４８とを具えており、前記支持壁４４は、上壁４７内周上端に接続されている。
側周壁４６の下端部には、内方に突出する膨出環４９が設けられ、該膨出環４９は、キャップＢａの取付筒３６外周の膨出環３７に係合し、密封リング４８は取付筒３６内周に係合し、内部を密封している。
【００２１】
図５に示すように、オーバキャップＥは、頂壁５０と側周壁５１とからなり、側周壁５１の下端には、キャップＢａの頂壁３１の周縁上端に設けられた膨出環３５に係合する膨出環５２が設けられ、閉蓋時には、ノズル部材Ｃａを密封して空気中の塵埃が注出ノズル３８内に入ることを防いでいる。
【００２２】
中栓Ｆは、上端にフランジ５３を設け、口部Ａ１ａ内周に係合する側周壁５４と底壁５５とからなり、底壁５５には、指掛けリング５６が立設されている。
内容液充填後、キャップＢａの閉蓋にあたっては、中栓Ｆのフランジ５３は、キャップＢａの縮径部の係止片に支持されて、容器口部内周に嵌着される。
【００２３】
次に、本実施形態の飲料用容器の使用態様と作用効果について、図７を参照して説明する。
使用にあたって、まず、キャップＢａを開蓋して指掛けリング５６を引っ張り上げることによりにより、容器口部Ａ１ａより中栓Ｆを取り外し、再びキャップＢａを被嵌しておく。
【００２４】
吸飲にあたっては、オーバキッャプＥを開いて注出ノズル３８を口にくわえ、注出ノズル３８を傾斜させると、弁体４２が弁座３４から離れ、開孔３２から流出孔４１を通じ容器Ａａ内部と注出ノズル３８内との間に液流路が形成され、容器内の飲料液を飲むことができる。
飲むことを止めるときには、注出ノズル３８を容器Ａａに対して直立させると、弁体４２が弁座３４を閉じ、液流路を遮断する。
【００２５】
その際の支持壁４４の作用について述べると、注出ノズル３８を傾斜させる場合には、支持壁４４の傾斜側の段部４３は、注出ノズル３８下端との接続部４４ａと、上壁４７の延長部との接続部４４ｂを支軸として反転され、反対側の支持壁段部４３は殆ど変形しない。
【００２６】
注出ノズル３８は傾斜側の支持壁４４の反転により斜め下方向に押しさげられ、反転状態が維持されることにより一定の傾斜位置に支持される。
そして、弁体４２の流出孔４１は開孔３２の上方に位置し、弁体４２の側部は筒体３３の側壁に離れて位置し、弁体４２と筒体３３との間に不要な力が作用しない。
そのため、筒体３３、弁筒３９の変形を防止することができ、変形による液流路遮断時の液漏れを防止し、液流路の遮断を確実に行うことができる。
【００２７】
注出ノズル３８を直立させる方向に移動させる支持壁４４の傾斜側の段部４３は、一定の角度位置で反転し、元の状態に復元する。
その復元によって注出ノズル３８は上昇されて直立状態となり、筒体３３が弁座３４に対置されて開孔３２が閉じられ、液流路が遮断される。
【００２８】
したがって、寝たままの状態で、容器が横方向になっていても注出ノズルを口にくわえ、容器に対して注出ノズルを傾斜、直立させることによって飲料液を簡単に飲むことができる。
【００２９】
次に、本発明の第３実施形態について、図面を参照して説明する。
本実施形態は、注出ノズルの薄肉の支持壁の形状と弁座の形状を変更したもので、その他の構成は前記第２実施形態のそれと同一であるので、同一の符号をもって図示するだけで詳しい説明を省略し、相違する部分を中心に説明する。
【００３０】
図８に示すように、ノズル部材Ｃｂは、注出ノズル３８ａと、該注出ノズル３８ａの下端に連設された有底の弁筒３９ａと、ノズル保持部６０とからなっている。
【００３１】
ノズル保持部６０は、注出ノズル３８ａの下端に連設された支持壁６１と該支持壁６１に接続する嵌着部６２とからなっている。
嵌着部６２は、支持筒６３とその下端からフランジ状に広がる上壁６４と側周壁６５とを具え、上壁６４内周から垂設された密封リング４８ａが垂設されている。
【００３２】
前記支持壁６１は、該注出ノズル３８ａの下端と支持筒６３上端との間に段部６６が形成されるよう連設されており、その断面形状は、注出ノズル３８ａ下端から水平に延びる壁面６７とその周辺から上に延びる壁面６８とその上端から支持筒６３の上端に水平に延びる壁面６９とからなっている。
【００３３】
次に、本実施形態の使用態様と作用効果について、図９を参照して説明する。
飲料用容器の使用については前記第２実施形態と同様であり、吸飲にあたっては、オーバキッャプＥを開いて注出ノズル３８ａを口にくわえ、注出ノズル３８ａを傾斜させると、容器Ａａ内部と注出ノズル３８ａ内との間に液流路が形成され、容器Ａａ内の飲料液を飲むことができ、飲むことを止めるときには、注出ノズル３８ａを容器Ａａに対して直立させると、液流路を遮断する。
【００３４】
その際の支持壁６１の作用について述べると、注出ノズル３８ａを傾斜させた場合には、支持壁６１の傾斜側の段部６６は、壁面６７が傾斜するだけで殆ど変形せず、注出ノズル３８ａは接続部６７ａを支点とて廻動傾斜され、反対側の段部は反転し湾曲変形して注出ノズル３８ａとの接続部６７ｂを上昇させる。
【００３５】
その結果として注出ノズル３８ａが斜め上方向に押し上げられ、反転状態が維持されることにより一定の傾斜位置に支持される。
そして、弁体４２ａの流出孔４１ａは、開孔３２ａの上方に位置し、弁体４２ａの側部は筒体３３ａの側壁に離れて位置し、弁体４２ａと筒体３３ａとの間に不要な力が作用しない。
そのため、筒体３３ａ、弁筒３９ａの変形を防止することができ、変形による液流路遮断時の液漏れを防止し、液流路の遮断を確実に行うことができる。
【００３６】
注出ノズル３８ａを直立させる方向に移動させると、支持壁６１の反対側の段部６６は、一定の角度位置で反転し、元の状態に復元する。その復元によって注出ノズル３８ａは下降され直立状態となり、弁体４２ａが弁座３４ａに対置されて開孔３２ａが閉じられ、液流路が遮断される。
【００３７】
したがって、本実施形態の飲料用容器も前実施形態の容器と同様に寝たままの状態で、容器が横方向になっていても注出ノズルを口にくわえ、容器に対して注出ノズルを傾斜、直立させることによって飲料液を簡単に飲むことができる。
【００３８】
【発明の効果】
本発明は、上記のように構成されているから、次の効果を奏する。
注出ノズルを薄肉の変形可能な支持壁で保持し、注出ノズルを任意の方向に傾斜させることによって、液流路を形成させるようにしたから、容器を横方向にもって寝たままの状態でも飲料液を飲むことができ、また、注出ノズルをわずかに起立させるだけで液流路が遮断されるので、飲料液を周辺にこぼすこともない。したがって、起き臥しのできない病人、寝たきりの老人にも容易に利用できるようになった。
【図面の簡単な説明】
【図１】本発明第１実施形態の説明図である。
【図２】キャップの説明図で、（ａ）は上面図、（ｂ）は一部断面正面図である。
【図３】ノズル部材の説明図で、（ａ）は上面図、（ｂ）は一部断面正面図である。
【図４】飲料用容器の使用時の説明図で、（ａ）は使用前の状態を示す図、（ｂ）は注出ノズル傾倒時の状態を示す図である。
【図５】第２実施形態の説明図である。
【図６】ノズル部材の説明図で、（ａ）は上面図、（ｂ）は一部断面正面図である。
【図７】飲料用容器の使用時の説明図で、（ａ）は使用前の状態を示す図、（ｂ）は注出ノズル傾倒時の状態を示す図である。
【図８】本発明第３実施形態の説明図である。
【図９】飲料用容器の使用時の説明図で、（ａ）は使用前の状態を示す図、（ｂ）は注出ノズル傾倒時の状態を示す図である。
【符号の説明】
Ａ、Ａａ          容器
Ａ１、Ａ１ａ      口部
Ｂ、Ｂａ          キャップ
Ｃ、Ｃａ、Ｃｂ    ノズル部材
Ｄ                ノズルキャップ
Ｅ                オーバキャップ
Ｆ                中栓
３、３０          側周壁
４                隔壁
７、３２、３２ａ  開孔
８、３４、３４ａ  弁座
１２、３８、３８ａ  注出ノズル
１３、３９、３９ａ  弁筒
１４、４０、６０    ノズル保持部
１８、４１、４１ａ  流出孔
１９、４２、４２ａ  弁体
２０、３６          取付筒
２１                屈曲部
２２、４４、６１    支持壁
３１                頂壁
３３、３３ａ        筒体
４５、６２          嵌着部
４６、６５          側周壁
４７、６４          上壁
６３                支持筒
６６、６７、６８    壁面
【図１】
0003946399.tif 000002
【図２】
0003946399.tif 000003
【図３】
0003946399.tif 000004
【図４】
0003946399.tif 000005
【図５】
0003946399.tif 000006
【図６】
0003946399.tif 000007
【図７】
0003946399.tif 000008
【図８】
0003946399.tif 000009
【図９】
0003946399.tif 000010